(57)【特許請求の範囲】
【請求項１】
雨水を貯溜する貯溜槽と、該貯溜槽に雨水を導入する流入部と、雨水を一時的に貯溜する一時貯溜部と、を備える雨水貯溜及び流出抑制のためのタンクであって、
貯溜槽は一時貯溜部の上方に設けられており、
貯溜槽と一時貯溜部にそれぞれオーバーフロー部が設けられていると共に、貯溜槽に設けられたオーバーフロー部が一時貯溜部と連通しており、
一時貯溜部に、該貯溜槽からオーバーフローして流入した雨水を徐々に外部に排出するための毛細管現象を利用した排出手段が講じられていて、その排出手段によって排出される雨水の排出量が、貯溜槽からオーバーフローして流入する雨水の流入量よりも少ないことを特徴とする雨水貯溜及び流出抑制のためのタンク。
【請求項２】
毛細管現象を利用して排出される雨水の排出口が、一時貯溜部の上部にあることを特徴とする請求項１に記載の雨水貯溜及び流出抑制のためのタンク。
【請求項３】
毛細管現象を利用した排出手段が、繊維束を用いたものであることを特徴とする請求項１又は請求項２に記載の雨水貯溜及び流出抑制のためのタンク。
【請求項４】
流入部の一端が貯溜槽の下部まで延設されていることを特徴とする請求項１又は請求項３のいずれかに記載の雨水貯溜及び流出抑制のためのタンク。
【発明の詳細な説明】
【技術分野】
【０００１】
本発明は、主に宅地内に設置されて、家屋の竪樋からの雨水を貯溜して有効活用すると共に、下水道施設や河川への負荷を低減することのできる雨水貯溜及び流出抑制のためのタンクに関するものである。
【背景技術】
【０００２】
近年、地球温暖化による気候変動で、日本の気候も亜熱帯地方に近づいてきている。それに伴い、乾期には殆ど雨が降らず、ダムや湖の水位が低下して水不足となるため、各地で水道水の給水制限が実施され、庭の植物に充分量の水を与えることも難しくなっている。その一方、短時間で非常に激しい雨が降る局地的豪雨も増えてきており、このように一時に大量の雨が降ると、未舗装の道路や空き地が殆どない都市化の進んだ地域では、家屋、駐車場、道路などに降った雨水が地中に浸透することなく、道路の側溝などを通じて河川へ流れ込むため、雨水の排水施設や処理場の容量を超えて所謂、都市型洪水を引き起こす恐れがある。
【０００３】
このような事情から、家屋の屋根に降った雨水を雨水タンクに貯溜し、その貯溜した雨水を洗車や植物の水やりなどに有効活用するようになってきている。
【０００４】
かかる装置として、例えば、天面に竪樋を接続する竪樋接続部が設けられた貯水槽と、該貯水槽に着脱自在に装着された受水容器からなる雨水貯水装置が提案されている（特許文献１）。
【０００５】
しかしながら、上記特許文献１のような雨水貯水装置は、蛇口の下側に受水容器などを挿入するスペースが必要なため、蛇口を貯水槽の下部に設けることができなかった。このように蛇口を貯水槽の下部に設けることができないと、蛇口よりも下方に貯溜された雨水を利用できないため、蛇口より下方はデッドスペースとなって、頻繁に水を抜いて貯水槽の内部を清掃しないと早期に水質が劣化してしまう、という問題があった。
【０００６】
このようなデッドスペースを無くすために、貯水槽を架台に支持させた雨水貯水装置も提案されている（特許文献２）。このように貯水槽を架台に支持させると、蛇口を貯水槽の下部に設けても、蛇口の下側に受水容器などを挿入するスペースが生まれ、貯水槽のデッドスペースを減らすことができる。
【０００７】
けれども、上記特許文献２のような雨水貯水装置は、架台は単に貯水槽を支えるだけのものであり、限られた設置スペースを有効に活用しているとは言い難いものであった。
【０００８】
上記のように、雨水を貯水槽に貯溜して有効に活用する特許文献１や特許文献２のような雨水貯水装置は、貯水槽が満水になると、貯水槽に流入した雨水はオーバーフロー管より排出されるので、貯水槽が満水のときは、家屋の屋根に降った雨水は雨水貯水装置に貯溜されずに、道路の側溝などを通じて河川へ流れ込んでしまい、都市型洪水を引き起こす恐れがある。かかる問題は、貯水槽を常時空水の状態にしておけば解決することができるけれども、そうすると、植物の水やりや洗車等のときに困るので本末転倒である。
【０００９】
このような事情から、雨水を有効活用すると共に都市型洪水の被害を少しでも低減させる試みとして、家屋の屋根に降った雨水を一時的に貯溜し、その貯溜した雨水を徐々に外部に排出するような装置も提案されている。その一つに、住宅の屋根に降った雨水を貯溜する貯水槽と、下水道施設や河川への負荷を低減するためのオリフィスを備えた流出抑制槽からなる住宅用雨水貯溜及び流出抑制装置がある（特許文献３）。
【００１０】
上記特許文献３の住宅用雨水貯溜及び流出抑制装置は、貯水槽が満水になったとしても、貯水槽からオーバーフローした雨水は流出抑制槽に流入する。そして、その流出抑制槽に流入した雨水は、流出抑制槽に設けられた小口径のオリフィスによって一気に排出されずに、徐々に排出されていくので、雨水の流出が抑制されると共に、次回の降雨時には流出抑制槽は空水の状態となっており、再び雨水を一時的に貯溜するスペースとして利用することができるようになっている。
【先行技術文献】
【特許文献】
【００１１】
【特許文献１】特開２００８−１９６２８５号公報
【特許文献２】特開２００７−２０５００６号公報
【特許文献３】特開２０００−０７３４１７号公報
【発明の概要】
【発明が解決しようとする課題】
【００１２】
しかしながら、上記特許文献３の住宅用雨水貯溜及び流出抑制装置は、その構造上、貯水槽と流出抑制槽を併設しなければならないため、装置が大型なものとなり、ある程度の設置スペースが必要となるばかりか、装置が大型のものとなる割には貯水槽の容積を多く取れない、という問題があった。また、蛇口より下方のデッドスペースを無くすために、蛇口を貯水槽の下部に設けた場合、別途架台などによって高さ調整をし、蛇口の下側に受水容器などを挿入するスペースを確保する必要が生じ、そうすると、余計に設置スペース（高さ方向）が必要となり、住宅の美観を損なう恐れがあった。しかも、この特許文献３の装置は、貯水槽が満水で流出抑制槽が空水の状態のとき、左右の重量バランスが悪いため、流出抑制槽側が浮き上がる恐れがある、という問題もあった。
【００１３】
本発明は上記の問題に鑑みてなされたもので、その解決しようとする課題は、設置スペースを雨水貯溜及び流出抑制のために最大限有効に活用することができる雨水貯溜及び流出抑制のためのタンクを提供することにある。
【課題を解決するための手段】
【００１４】
上記目的を達成するため、本発明に係る雨水貯溜及び流出抑制のためのタンクは、雨水を貯溜する貯溜槽と、該貯溜槽に雨水を導入する流入部と、雨水を一時的に貯溜する一時貯溜部と、を備える雨水貯溜及び流出抑制のためのタンクであって、貯溜槽は一時貯溜部の上方に設けられており、貯溜槽と一時貯溜部にそれぞれオーバーフロー部が設けられていると共に、貯溜槽に設けられたオーバーフロー部が一時貯溜部と連通しており、一時貯溜部に、該貯溜槽からオーバーフローして流入した雨水を徐々に外部に排出するための毛細管現象を利用した排出手段が講じられていて、その排出手段によって排出される雨水の排出量が、貯溜槽からオーバーフローして流入する雨水の流入量よりも少ないことを特徴とするものである。
【００１５】
本発明の雨水貯溜及び流出抑制のためのタンクにおいては、毛細管現象を利用して排出される雨水の排出口が、一時貯溜部の上部にあることが好ましい。また、毛細管現象を利用した排出手段が、繊維束を用いたものであることが好ましく、流入部の一端が貯溜槽の下部まで延設されていることがより好ましい。
【発明の効果】
【００１６】
本発明の雨水貯溜及び流出抑制のためのタンクは、雨水を貯溜する貯溜槽とは別に、雨水を一時的に貯溜する一時貯溜部があるので、雨水を有効に活用できると共に、都市型洪水の被害を少しでも低減させることができる。即ち、貯溜槽が満水になって雨水がオーバーフローしても、そのオーバーフローした雨水は、オーバーフロー部によって連通する一時貯溜部に流入するので、例え貯溜槽が満水になったとしても、貯溜槽からオーバーフローした雨水が外部に一気に排出されることはなく、一時貯溜部に講じられた、雨水の流入量よりも外部への排出量が少ない毛細管現象を利用した排出手段により、貯溜槽より流入してきた雨水の流出が十分に抑制されて、徐々に外部に排出されることになるので、一時貯溜部の容積分だけは確実に都市型洪水被害の低減に寄与することができる。そして、上記のように一時貯溜部に流入した雨水は、排出手段によって徐々に外部に排出されるので、次回の降雨時迄には一時貯溜部は空水の状態となり、貯溜槽が満水であったとしても、再び雨水の流出を抑制することができる。このように、本発明の雨水貯溜及び流出抑制のためのタンクは、雨水を有効活用できると共に都市型洪水の被害を低減させることができ、しかも、貯溜槽が一時貯溜部の上方に設けられているので、貯溜槽が満水で一時貯溜部が空水のときでも、従来の装置のように片側だけが浮き上がったりする心配がない。また、一時貯溜部が架台の役割も果たすので、貯溜槽の下部に蛇口を形成しても受水容器などを挿入するスペースが確保されて、蛇口より下方に生じるデッドスペースを殆ど無くすことができ、限られた設置スペースの中で最大限の容積の貯溜槽を確保できると共に、頻繁に貯溜槽の内部を清掃しなくても、早期に水質が劣化してしまうことがない。
そして、毛細管現象を利用して排出される雨水の排出口が、一時貯溜部の上部にある本願請求項２の雨水貯溜及び流出抑制のためのタンクのように、雨水の排出口を一時貯溜部の上部に設けることで、例え貯溜槽からオーバーフローしてきた雨水に異物が混入していたとしても、目詰まり等の心配がなく、確実に外部に排出することができる。
【００１７】
また、流入部の一端が貯溜槽の下部まで延設されている雨水貯溜及び流出抑制のためのタンクのように、流入部の一端を貯溜槽の下部まで延設すると、雨水に混入した砂等の異物は雨水と共に貯溜槽の下部から貯溜槽に流入し、そのまま貯溜槽底部に沈殿するので、貯溜槽の上部からオーバーフローする雨水に異物が混入しにくくなり、一時貯溜部の排出手段のメンテナンスが殆ど不要になる。
【図面の簡単な説明】
【００２０】
【図１】本発明の参考形態に係る雨水貯溜及び流出抑制のためのタンクの分解斜視図である。
【図２】同タンクの断面図である。
【図３】同タンクの設置状態を示す概略正面図である。
【図４】同タンクと流出抑制槽を併設した装置とを比較する説明図である。
【図５】本発明の他の参考形態に係る雨水貯溜及び流出抑制のためのタンクの断面図である。
【図６】本発明の一実施形態に係る雨水貯溜及び流出抑制のためのタンクの断面図である。
【図７】本発明の更に他の参考形態に係る雨水貯溜及び流出抑制のためのタンクの設置状態を示す概略正面図である。
【発明を実施するための最良の形態】
【００２１】
以下、図面を参照して本発明の具体的な実施形態を詳述する。
【００２２】
本発明の参考形態に係る雨水貯溜及び流出抑制のためのタンクＴ（以下、単にタンクＴという。）は、図１、図３に示すように、雨水を貯溜する貯溜槽１と、その貯溜槽１に雨水を導入する流入部２と、雨水を一時的に貯溜する一時貯溜部３と、を備え、家屋の屋根（不図示）に降った雨水を植物の水やりや洗車等に有効活用すると共に、雨水が雨水排水管１０へ一気に流出するのを抑制し、下水道施設や河川への負荷を低減するために設置されるものである。
【００２３】
このタンクＴを構成する貯溜槽１は、雨水を貯溜する容積が５０〜４００リットルの筐体で、図１に示すように、外面はレンガ調に飾りつけられて、家屋の外観と調和するように形成されている。そして、図２に示すように、貯溜槽１の一側面の上部には、雨水を貯溜槽１の内部に導入するための流入部２を接続する流入口１ａが形成されており、もう一方の側面の上部には、貯溜槽１が満水になった場合の排出口となるオーバーフロー部１ｂが形成されている。オーバーフロー部１ｂの直径は流入口１ａと同径又は流入口１ａよりも大きく、その直径が１０〜６０ｍｍ程度、開口面積が０．７〜３０ｃｍ２程度に形成されている。この流入口１ａは、流入部２を内部にも接続する関係から、貯溜槽１の外側に筒体が突設されていると共に、内側に向っても筒体が突設されている。
【００２４】
また、上記貯溜槽１の前面下部には、図１、図３に示すように、貯溜槽１の内部に貯溜した雨水を取水するための蛇口１ｃが形成されている。本発明の参考形態に係るタンクＴは、貯溜槽１を後述する一時貯溜部３の上に載置することにより、この蛇口１ｃを貯溜槽１の前面下部に設けても、受水容器などの挿入スペースが確保され、貯溜槽１のデッドスペースを極力減らすことができる。そして、この蛇口１ｃを捻ると雨水が排出されるようになっており、蛇口１ｃにホースを接続したりすることで、貯溜槽１に貯溜された雨水を植物の水やりや洗車等、様々な用途に有効活用することができるようになり、水道料金や下水道料金を節約することができる。
【００２５】
更に、上記貯溜槽１の天面には、図１、図２に示すように、清掃時やメンテナンス時に利用する開口部１ｄが形成されている。この開口部１ｄは、清掃時やメンテナンス時に利用するために形成されたものであるので、少なくとも手が貯溜槽１の内部に挿入できる程度の大きさに形成する必要があり、２本の手を使って作業ができるように、開口部１ｄは１つではなく２つ形成されている。
【００２６】
そして、上記貯溜槽１の天面は、図１、図２に示すように、蓋体７によって覆われている。この蓋体７で開口部１ｄが形成された貯溜槽１の天面を覆うと、蓋体７を取り外すだけで、貯溜槽１の内部の清掃や点検を行うことができるのでメンテナンス性が向上する。
尚、貯溜槽１の天面の後側と蓋体７の後側に跨るように蝶番を設けて、蓋体７が起倒自在となるように取付けてもよい。
【００２７】
次に、上記貯溜槽１に雨水を導入する流入部２は、図３に示すように、竪樋８を流下してきた雨水を集水継手９によって集水し、その集水した雨水を貯溜槽１に導入するための排水管で、図２に示すように、貯溜槽１の流入口１ａを境に２つに分割されている。この２つに分割された流入部２のうち、貯溜槽１の外側に配設された流入部２の一端は、貯溜槽１の流入口１ａに接続されており、もう一端は竪樋８の経路途中に設置された集水継手９に接続されている。また、貯溜槽１の内側に配設された流入部２の一端は、貯溜槽１の内部の流入口１ａに接続されており、もう一端は貯溜槽１の下部まで延設されている。このように、流入部２の一端を貯溜槽１の下部まで延設すると、雨水に混入した砂等の異物は雨水と共に貯溜槽の下部から貯溜槽に流入し、そのまま貯溜槽１の底面に沈殿するので、貯溜槽１の上部からオーバーフローする雨水に異物が混入しにくくなる。
【００２８】
上記構成の貯溜槽１は、図２、図３に示すように、一時貯溜部３の上に載置されている。この一時貯溜部３は、貯溜槽１の架台としての役割を果たすと共に、その内部に貯溜槽１からオーバーフローした雨水を一時的に貯溜する空間であり、雨水の流出を抑制し、都市型洪水の被害を少しでも低減させるためのものである。この一時貯溜部３の側面上部には流入口３ａが形成されており、流入口３ａと貯溜槽１のオーバーフロー部１ｂを略コ字形状の連通管４で連通させることによって、貯溜槽１からオーバーフローした雨水が一時貯溜部３に流入するようになっている。また、一時貯溜部３のもう一方の側面上部には、流入口３ａと同径又は流入口３ａよりも大きいオーバーフロー部３ｂが形成されており、一時貯溜部３が満水となった際にも、雨水を外部に排出できるようになっている。このオーバーフロー部３ｂには排水ホース５が接続されており、一時貯溜部３よりオーバーフローした雨水は排水ホース５から排水桝１２へと流れ込むようになっている。本発明の参考形態に係るタンクＴは、通常屋外に設置されるものなので、オーバーフロー部３ｂから直接雨水が外部に排出されても問題は生じないが、本参考形態のように、オーバーフロー部３ｂを排水ホース５によって排水桝１２と連結することで、オーバーフローした雨水が地面を濡らすことがなくなる。
尚、オーバーフロー部３ｂは、流入口３ａよりも大きく形成してもよい。また、オーバーフロー部３ｂに接続された排水ホース５の一端を、再び竪樋８に接続してもよい。
【００２９】
また、上記一時貯溜部３には、図１、図２に示すように、貯溜槽１からオーバーフローして流入した雨水を徐々に外部に排出するための排出手段３ｃが講じられている。具体的にこの排出手段３ｃとは、一時貯溜部３の側面下部に設けられた直径が１〜２０ｍｍ程度の小口径のオリフィス３ｃであって、このオリフィス３ｃには排水パイプ６が接続されており、上記オーバーフロー部３ｂと同様に、排出された雨水は排水桝１２に流れ込むようになっている。このオリフィス３ｃを一時貯溜部３に設けることによって雨水の流出が抑制される。即ち、オリフィス３ｃより外部に排出される雨水の排出量は、その口径から非常に少量であり、貯溜槽１のオーバーフロー部１ｂより連通管４を経て一時貯溜部３に流入する雨水の流入量よりも遥かに少なくなっているので、貯溜槽１からオーバーフローしてきた雨水は、一時貯溜部３に一時的に貯溜されることになる。これによって、例え貯溜槽１が満水になったとしても、貯溜槽１からオーバーフローした雨水が外部に一気に排出されることがなくなり、雨水の流出が抑制される。そして、雨が弱くなったり雨がやんだりすると、一時貯溜部３に一時的に貯溜された雨水は、そのオリフィス３ｃより徐々に外部に排出されて一時貯溜部３の水位が下がり始め、やがて一時貯溜部３の内部に貯溜された雨水の全部が排出されて空水の状態になる。従って、次回の降雨時迄には、一時貯溜部３に再び雨水を一時的に貯溜するスペースが生まれ、一時貯溜部３の容積分だけは、確実に都市型洪水被害の低減に寄与することができる。
【００３０】
しかも、この一時貯溜部３は、貯溜槽１の架台としての役割も果たすものであり、一時貯溜部３の上に貯溜槽１を載置することで、貯溜槽１が満水で一時貯溜部３が空水のときでも、片側だけが浮き上がったりする心配がなくなるばかりか、貯溜槽１の下部に蛇口１ｃを形成しても受水容器などを挿入するスペースが確保されて、蛇口１ｃより下方に生じるデッドスペースを殆ど無くすことができるので、設置スペースを同じにするならば貯溜槽１の有効に活用できる雨水の容量を大きくすることができるようになる。このことを検証するため、図４に示すような測定を行った。この測定は、本発明の参考形態に係るタンクＴのように貯溜槽１を一時貯溜部３の上に載置した場合（ａ）と、従来の装置１００のように貯水槽１０１の横に流出抑制槽１０２を併設した場合（ｂ）において、貯溜槽１と貯水槽１０１の有効に活用できる雨水の容量を比較したものであり、タンクＴと従来の装置１００の底部の面積と高さを同じ（設置スペースを同じ）にし、一時貯溜部３と流出抑制槽１０２の容積と、蛇口１ｃの取付け高さ位置を同じにした条件で測定したものである。このとき、蛇口１ｃは、その下方に受水容器などの挿入スペースを確保するために、地面より受水容器が挿入できる高さに取付ける必要があるので、従来の装置１００の場合は、蛇口１ｃの下方にデッドスペースＤが生まれ、その部分に貯溜された雨水は有効に活用することができないという問題が生じる。このことは、デッドスペースＤの部分を架台に置き換えたとしても、貯水槽１０１の容積がその架台分だけ減少するので、同じである。このような条件で測定した結果、設置スペースが同じであるなら、有効に活用できる雨水の容量が、従来の装置１００よりも一時貯溜部３の上に貯溜槽１を載置した本発明の参考形態に係るタンクＴのほうが約３５％も大きいことがわかった。このように、本発明の参考形態に係るタンクＴは、一時貯溜部３の上に貯溜槽１を載置することで、限られた設置スペースの中で最大限の容積の貯溜槽１を確保でき、デッドスペースＤが殆ど生じないので、頻繁に貯溜槽１の内部を清掃しなくても、早期に水質が劣化してしまうことがなくなる。
【００３１】
以上のような構成のタンクＴは、図３に示すように、家屋（不図示）に配設された竪樋８の近傍に設置される。この竪樋８の経路途中には集水継手９が設置されており、その集水継手９で集水された雨水が流入部２へ流入し、貯溜槽１の内部に導入されるようになっている。竪樋８の経路途中に設置される集水継手９は、竪樋８を流下してきた雨水を効率よく集水できるものであればどのようなタイプの継手でも構わず、図示はしないが、本参考形態の集水継手９は、その内部周面に、流下してきた雨水を集水するための環状の溝部が形成されたものが用いられている。
尚、集水継手９で集水されなかった雨水は、竪樋８の下端に接続されたチーズ継手１１を介して雨水排水管１０に流入するようになっている。
【００３２】
上記のようなタンクＴが設置された宅地内において、家屋の屋根（不図示）に降った雨水は、竪樋８を流下して、その経路途中に設置された集水継手９で集水されて流入部２から貯溜槽１の内部へと導入される。このようにして、貯溜槽１が満水となり、そのオーバーフロー部１ｂよりオーバーフローした雨水は、連通管４を経て一時貯溜部３に流入して一時的に貯溜される。そして、雨が弱くなったり雨がやんだりして、貯溜槽１よりオーバーフローした雨水が一時貯溜部３に流入しなくなると、一時貯溜部３に貯溜された雨水は、その側面下部に設けられたオリフィス３ｃより徐々に外部に排出されて、やがて一時貯溜部３の内部に貯溜された雨水の全部が排出されて空水の状態となり、次回の降雨時迄には、一時貯溜部３に再び雨水を一時的に貯溜するスペースが生まれる。このように、本発明の参考形態に係るタンクＴは、一時貯溜部３の容積分だけは、確実に都市型洪水被害の低減に寄与することができるものである。
尚、貯溜槽１からオーバーフローしてくる雨水量は、オリフィス３ｃから徐々に排出される排出量よりも遥かに多いので、一時貯溜部３に貯溜スペースがなくなってしまうこともあるが、その場合は、一時貯溜部３のオーバーフロー部３ｂより雨水は外部に排出されるので、問題が生じることはない。
また、上記のようなタンクＴが設置された宅地内において、雨水の流出抑制効果をより一層増やして、都市型洪水の被害を低減するために、排水ホース５や排水パイプ６が接続される排水桝１２を、側面や底面に孔が穿孔された雨水浸透桝とすることも好ましい。更に、雨水排水管１０も、周面に孔が穿孔された孔あきの浸透管とすれば、タンクＴを含めた宅地内全体で、都市型洪水の被害を低減することができるようになる。
【００３３】
図５は本発明の他の参考形態に係る雨水貯溜及び流出抑制のためのタンクの断面図である。
【００３４】
図５に示す参考形態の雨水貯溜及び流出抑制のためのタンクＴ１（以下、単にタンクＴ１という。）は、前述した図１から図４に示す参考形態のタンクＴのオーバーフロー部１ｂが、貯溜槽１の側面上部に設けられた排出口であったのに対して、貯溜槽１と一時貯溜部３を連通させる連通管４０そのものにオーバーフロー部１０ｂを設けたものである。この連通管４０は塩化ビニル樹脂製のパイプで、その周面上部には、円形状の開口であるオーバーフロー部１０ｂが設けられている。そして、この連通管４０を貯溜槽１の内部に配設するため、貯溜槽１の天面と底面にはそれぞれ挿通孔１ｅ，１ｆが穿孔されていると共に、一時貯溜部３の上面にも挿通孔３ｄが穿孔されていて、連通管４０は、この挿通孔１ｆ，３ｄから上方向に立ち上がるように配設され、天面の挿通孔１ｅに保持されている。
この図５に示す雨水貯溜及び流出抑制のためのタンクＴ１のその他の構成は、前述した図１から図４に示す参考形態の雨水貯溜及び流出抑制のためのタンクＴと同様であるので、同一部材に同一符号を附して、説明を省略する。
【００３５】
上記構成のタンクＴ１は、前述した図１から図４に示す参考形態のタンクＴと同様に、流入部２より貯溜槽１の内部に導入された雨水は貯溜されていく。そして、貯溜槽１の水位がオーバーフロー部１０ｂまで達すると、雨水がオーバーフロー部１０ｂより連通管４０に流入し、一時貯溜部３まで流下するようになっている。このようなタンクＴ１は、連通管４０が露出しないので、タンクＴ１の外観がすっきりする。また、連通管４０の上端面は開口しているため、上部から連通管４０やオーバーフロー部１０ｂのメンテナンスが可能となる。
【００３６】
図６は本発明の一実施形態に係る雨水貯溜及び流出抑制のためのタンクの断面図である。
【００３７】
図６に示す実施形態の雨水貯溜及び流出抑制のタンクＴ２（以下、単にタンクＴ２という。）は、一時貯溜部３に一時的に貯溜された雨水を、毛細管現象を利用して一時貯溜部３の側面上部に設けられた排出口３０ｂから徐々に外部に排出するようにしたものである。この毛細管現象を利用するために、本実施形態では、織布などの繊維束３０ｃが用いられている。この繊維束３０ｃは、その一端が一時貯溜部３の底面近傍に位置するように配置されており、排出口３０ｂを境に１８０°折り曲げられて、もう一端が地面近傍に位置するようになっている。このような毛細管現象を利用したタンクＴ２を宅地内に設置すると、貯溜槽１からオーバーフローしてきて一時貯溜部３に一時的に貯溜された雨水は、繊維束３０ｃを徐々に上昇していき、一時貯溜部３の側面上部に形成された排出口３０ｂより外部に排出される。また、本実施形態では、毛細管現象を利用して排出される雨水の排出口３０ｂは、オーバーフロー部３０ｂも兼用している。従って、一時貯溜部３が満水となった状態で、更に雨水が一時貯溜部３に流入してきた際は、この排出口３０ｂより外部に排出されるようになっている。そして、繊維束３０ｃが外部に露出するのを目隠しするために、排出口３０ｂは地面まで延設されている。
尚、上記のような織布などの繊維束３０ｃの他にも、細い管の束を用いて、一時貯溜部３に一時的に貯溜された雨水を外部に排出するようにしてもよい。
この図６に示す雨水貯溜及び流出抑制のためのタンクＴ２のその他の構成は、前述した図１から図４に示す参考形態の雨水貯溜及び流出抑制のためのタンクＴと同様であるので、同一部材に同一符号を附して、説明を省略する。
【００３８】
この実施形態のタンクＴ２も、前述した図１から図５に示す参考形態のタンクＴ，Ｔ１と同様に、貯溜槽１より流入してきた雨水の流出を十分に抑制できると共に、毛細管現象を利用することで雨水の排出口３０ｂを一時貯溜部３の側面上部に設けることが可能となり、例え貯溜槽１からオーバーフローしてきた雨水に異物が混入していたとしても、目詰まり等の心配がなく、確実に一時貯溜部３の外部に排出することができる、といった効果を奏する。
【００３９】
図７は本発明の更に他の参考形態に係る雨水貯溜及び流出抑制のためのタンクの設置状態を示す概略正面図である。
【００４０】
図７に示す参考形態の雨水貯溜及び流出抑制のためのタンクＴ３（以下、単にタンクＴ３という。）は、雨水を貯溜槽１の内部に導入する流入部２０が、貯溜槽１が満水になった際のオーバーフロー部としての役割も果たすようにしたものである。即ち、図７に矢符するように、竪樋８を流下してきた雨水は、集水継手９に集水されて、流入部２０より貯溜槽１の内部に導入される。そして、貯溜槽１が満水になると、その満水となった雨水は貯溜槽１よりオーバーフローして、流入部２０より再び竪樋８に流入するようになっている。従って、前述した図１から図６に示す参考形態又は実施形態のタンクＴ〜Ｔ２の流入部２は、貯溜槽１の流入口１ａを境に２つに分割されて、貯溜槽１の内側に配設された流入部２の一端が貯溜槽１の下部まで延設されていたが、貯溜槽１の下部まで延設するとオーバーフローしなくなるので、本参考形態の流入部２０は、貯溜槽１の外側にだけ配設されていて、その一端は貯溜槽１の流入口１ａに接続されており、もう一端は竪樋８の経路途中に設置された集水継手９に接続されている。
【００４１】
また、このタンクＴ３の一時貯溜部３に設けられたオーバーフロー部３ｂは、図７に示すように、排水ホース５によって集水継手９と連結されており、貯溜槽１からオーバーフローして竪樋８を流下してきた雨水が集水継手９によって集水されて、一時貯溜部３に流入するようになっている。このように、本参考形態のタンクＴ３は、上側に設置された集水継手９と下側に設置された集水継手９の間に配設された竪樋８が、前述した図１から図４に示す参考形態のタンクＴの連通管４の役割を果たし、貯溜槽１と一時貯溜部３は、この竪樋８によって連通している。一方、一時貯溜部３が満水となり、一時貯溜部３のオーバーフロー部３ｂからオーバーフローした雨水は、排水ホース５を経て再び竪樋８に流入するようになっている。このように本参考形態のタンクＴ３は、一時貯溜部３に設けられたオーバーフロー部３ｂが、満水となった場合の雨水の排出口と、貯溜槽１からの雨水の流入口を兼用するようにしたものである。
この図７に示す雨水貯溜及び流出抑制のためのタンクＴ３のその他の構成は、前述した図１から図４に示す参考形態の雨水貯溜及び流出抑制のためのタンクＴと同様であるので、同一部材に同一符号を附して、説明を省略する。
【００４２】
以上のような構成のタンクＴ３は、竪樋８の直近に設置できる場合に特に好適に用いられ、連通管４や排水桝１２などの部材が不要となるため、コストを大幅に削減することができる。
【符号の説明】
【００４３】
Ｔ，Ｔ１，Ｔ２，Ｔ３  雨水貯溜及び流出抑制のためのタンク
１    貯溜槽
１ａ  流入口
１ｂ  オーバーフロー部
１ｃ  蛇口
１ｄ  開口部
１ｅ  挿通孔
１ｆ  挿通孔
２    流入部
２０  流入部（オーバーフロー部）
３    一時貯溜部
３ａ  流入口
３ｂ  オーバーフロー部
３０ｂ  排出口（オーバーフロー部）
３ｃ  オリフィス
３０ｃ  繊維束
３ｄ  挿通孔
４，４０  連通管
５    排水ホース
６    排水パイプ
７    蓋体
８    竪樋
９    集水継手
１０  雨水排水管
１１  チーズ継手
１２  排水桝
１００  従来の装置
１０１  貯水槽
１０２  流出抑制槽
Ｄ    デッドスペース
【図１】
0005557211.tif 000002
【図２】
0005557211.tif 000003
【図３】
0005557211.tif 000004
【図４】
0005557211.tif 000005
【図５】
0005557211.tif 000006
【図６】
0005557211.tif 000007
【図７】
0005557211.tif 000008